(57)【要約】【課題】サービス処理を選択するための複数の操作子が表示される場合に、ユーザによる操作子の誤選択を低減する。【解決手段】サービス処理を選択するための複数の操作子が表示される表示手段と、操作子を選択する前のユーザの操作状態を検知する検知手段と、を備え、予め定めた操作状態が検知された場合に、表示手段が複数の操作子のうち少なくとも一部の操作子に、少なくとも一部の操作子の各々に関連する関連情報を重ねて表示する、情報処理装置である。【選択図】図１１
2019016067.tif 000002
【特許請求の範囲】
【請求項１】
サービス処理を選択するための複数の操作子が表示される表示手段と、
前記操作子を選択する前のユーザの操作状態を検知する検知手段と、
を備え、
予め定めた操作状態が検知された場合に、前記表示手段に表示された前記複数の操作子のうち少なくとも一部の操作子に、前記少なくとも一部の操作子の各々に関連する関連情報を重ねて表示する、
情報処理装置。
【請求項２】
前記予め定めた操作状態が、ページ捲りを繰り返している状態、画面遷移せずに予め定めた時間が経過した状態、または画面遷移後にサービス処理を実行せず元の画面に戻った状態である、
請求項１に記載の情報処理装置。
【請求項３】
前記予め定めた操作状態が、同一または類似の複数の操作子を含むページでページ捲りを停止している状態である、
請求項１に記載の情報処理装置。
【請求項４】
前記同一または類似の複数の操作子が、画像が同一または類似である複数の操作子、及び、操作子に併記された名前が同一または類似である複数の操作子の少なくとも一方である、
請求項３に記載の情報処理装置。
【請求項５】
前記画像の属性を数値で表し、対比される２つの数値が同じ場合は同一の画像とし、対比される２つの数値の差が予め定めた範囲内にある場合は類似の画像とする、
請求項４に記載の情報処理装置。
【請求項６】
前記少なくとも一部の操作子が、同一または類似の複数の操作子であり、
前記同一または類似の複数の操作子の各々に、異なる関連情報が重ねて表示される、
請求項３に記載の情報処理装置。
【請求項７】
前記同一または類似の複数の操作子が、ユーザに表示されているページに含まれる、
請求項６に記載の情報処理装置。
【請求項８】
前記複数の操作子が、予め用意された操作子以外の操作子を含む、
請求項１から請求項７までのいずれか１項に記載の情報処理装置。
【請求項９】
前記複数の操作子が、選択によりサービス処理の実行が開始される操作子を含む、
請求項１から請求項７までのいずれか１項に記載の情報処理装置。
【請求項１０】
前記関連情報が、サービス処理の利用形態を表す情報、サービス処理の実行回数を表す情報、及びサービス処理の設定内容を表す情報の少なくとも１つである、
請求項１から請求項９までのいずれか１項に記載の情報処理装置。
【請求項１１】
前記ユーザの操作状態が、音声または動作による操作状態を含み、
前記予め定めた操作状態が、音声認識または動作認識により検知される、
請求項１に記載の情報処理装置。
【請求項１２】
コンピュータにより、
サービス処理を選択するための複数の操作子を表示手段に表示させ、
予め定めた操作状態が検知された場合に、前記表示手段に表示された前記複数の操作子のうち少なくとも一部の操作子に、前記少なくとも一部の操作子の各々に関連する関連情報を重ねて表示させる、
ためのプログラム。
【発明の詳細な説明】
【技術分野】
【０００１】
本発明は、情報処理装置及びプログラムに関する。
【背景技術】
【０００２】
特許文献１には、ホーム画面を作成するのに必要なデータを有するホーム画面情報であって、該ホーム画面に含まれるマクロを呼び出すための第１アイコン毎に該マクロの識別情報を含む前記ホーム画面情報を記憶するホーム画面情報記憶手段と、前記マクロの識別情報毎に該マクロの各設定値を記憶するマクロ情報記憶手段と、前記マクロの設定値毎に該設定値を示す第２アイコンを記憶するアイコン記憶手段と、前記ホーム画面情報に含まれるマクロの識別情報に対応する各設定値を前記マクロ情報記憶手段から取得し、該各設定値に対応する第２アイコンを前記アイコン記憶手段から取得する画面制御手段と、前記ホーム画面情報に基づいてホーム画面を作成する際、前記画面制御手段により取得された第２アイコンを、該第２アイコンが示す設定値を有するマクロの第１アイコン上に重ねる画面作成手段と、前記画面作成手段により作成されたホーム画面を表示する表示手段と、を備える画像形成装置が記載されている。
【先行技術文献】
【特許文献】
【０００３】
【特許文献１】特開２０１３−００８２２４号公報
【発明の概要】
【発明が解決しようとする課題】
【０００４】
本発明の目的は、サービス処理を選択するための複数の操作子が表示される場合に、関連情報を表示しない場合に比べて、ユーザによる操作子の誤選択を低減することができる、情報処理装置及びプログラムを提供することにある。
【課題を解決するための手段】
【０００５】
上記目的を達成するために、請求項１に記載の発明は、サービス処理を選択するための複数の操作子が表示される表示手段と、前記操作子を選択する前のユーザの操作状態を検知する検知手段と、を備え、予め定めた操作状態が検知された場合に、前記表示手段に表示された前記複数の操作子のうち少なくとも一部の操作子に、前記少なくとも一部の操作子の各々に関連する関連情報を重ねて表示する、情報処理装置である。
【０００６】
請求項２に記載の発明は、前記予め定めた操作状態が、ページ捲りを繰り返している状態、画面遷移せずに予め定めた時間が経過した状態、または画面遷移後にサービス処理を実行せず元の画面に戻った状態である、請求項１に記載の情報処理装置である。
【０００７】
請求項３に記載の発明は、前記予め定めた操作状態が、同一または類似の複数の操作子を含むページでページ捲りを停止している状態である、請求項１に記載の情報処理装置である。
【０００８】
請求項４に記載の発明は、前記同一または類似の複数の操作子が、画像が同一または類似である複数の操作子、及び、操作子に併記された名前が同一または類似である複数の操作子の少なくとも一方である、請求項３に記載の情報処理装置である。
【０００９】
請求項５に記載の発明は、前記画像の属性を数値で表し、対比される２つの数値が同じ場合は同一の画像とし、対比される２つの数値の差が予め定めた範囲内にある場合は類似の画像とする、請求項４に記載の情報処理装置である。
【００１０】
請求項６に記載の発明は、前記少なくとも一部の操作子が、同一または類似の複数の操作子であり、前記同一または類似の複数の操作子の各々に、異なる関連情報が重ねて表示される、請求項３に記載の情報処理装置である。
【００１１】
請求項７に記載の発明は、前記同一または類似の複数の操作子が、ユーザに表示されているページに含まれる、請求項６に記載の情報処理装置である。
【００１２】
請求項８に記載の発明は、前記複数の操作子が、予め用意された操作子以外の操作子を含む、請求項１から請求項７までのいずれか１項に記載の情報処理装置である。
【００１３】
請求項９に記載の発明は、前記複数の操作子が、選択によりサービス処理の実行が開始される操作子を含む、請求項１から請求項７までのいずれか１項に記載の情報処理装置である。
【００１４】
請求項１０に記載の発明は、前記関連情報が、サービス処理の利用形態を表す情報、サービス処理の実行回数を表す情報、及びサービス処理の設定内容を表す情報の少なくとも１つである、請求項１から請求項９までのいずれか１項に記載の情報処理装置である。
【００１５】
請求項１１に記載の発明は、前記ユーザの操作状態が、音声または動作による操作状態を含み、前記予め定めた操作状態が、音声認識または動作認識により検知される、請求項１に記載の情報処理装置である。
【００１６】
請求項１２に記載の発明は、コンピュータにより、サービス処理を選択するための複数の操作子を表示手段に表示させ、予め定めた操作状態が検知された場合に、前記表示手段に表示された前記複数の操作子のうち少なくとも一部の操作子に、前記少なくとも一部の操作子の各々に関連する関連情報を重ねて表示させる、ためのプログラムである。
【発明の効果】
【００１７】
請求項１、１２に記載の発明によれば、サービス処理を選択するための複数の操作子が表示される場合に、関連情報を表示しない場合に比べて、ユーザによる操作子の誤選択を低減することができる。
【００１８】
請求項２に記載の発明によれば、ユーザが操作子の選択に迷っている操作状態を検知することができる。
【００１９】
請求項３、４に記載の発明によれば、ユーザが操作子の選択に迷いそうな操作状態を検知することができる。
【００２０】
請求項５に記載の発明によれば、画像の特徴点を対比する場合に比べて、画像の類似性を簡単に評価することができる。
【００２１】
請求項６、７に記載の発明によれば、同じ関連情報を表示する場合に比べて、操作子を直感的に選択することができる。
【００２２】
請求項８、９に記載の発明によれば、選択肢が増えた場合でも操作子の誤選択を低減することができる。
【００２３】
請求項１０に記載の発明によれば、関連情報により操作子の選択可否の判断が可能になる。
【００２４】
請求項１１に記載の発明によれば、音声や動作によってもユーザの操作状態を検知することができる。
【図面の簡単な説明】
【００２５】
【図１】本発明の実施の形態に係る画像形成装置のハードウェア構成を例示したブロック図である。
【図２】ホーム画面の一例を示す模式図である。
【図３】ホーム画面の一例を示す模式図である。
【図４】ホーム画面の一例を示す模式図である。
【図５】（Ａ）から（Ｃ）はワンタッチの選択用ボタンをユーザが作成する際の表示画面を示した図である。
【図６】ワンタッチの選択用ボタンの一覧を示した図である。
【図７】「画面表示処理」の処理の流れの一例を示すフローチャートである。
【図８】「検知処理」の処理の流れの一例を示すフローチャートである。
【図９】「表示変更処理」の処理の流れの一例を示すフローチャートである。
【図１０】サービス処理と操作子と関連情報との関係を示す図表である。
【図１１】変更後のホーム画面の一例を示す模式図である。
【図１２】第２の実施の形態に係る「検知処理」の処理の流れの一例を示すフローチャートである。
【図１３】第２の実施の形態に係る「表示変更処理」の処理の流れの一例を示すフローチャートである。
【図１４】変更後のホーム画面の一例を示す模式図である。
【図１５】参考例に係る「検知処理」の処理の流れの一例を示すフローチャートである。
【図１６】参考例に係る「表示変更処理」の処理の流れの一例を示すフローチャートである。
【図１７】変更後のホーム画面の一例を示す模式図である。
【発明を実施するための形態】
【００２６】
以下、図面を参照して本発明の実施の形態の一例を詳細に説明する。
【００２７】
＜第１の実施の形態＞
（画像形成装置）
図１は、本発明の実施の形態に係る画像形成装置１０のハードウェア構成を例示したブロック図である。本実施の形態の画像形成装置１０には、制御部１００、記憶部１０５、表示部１０７、画像読取部１０８、画像形成部１０９、通信部１１０、画像処理部１１１、動作認識部１１２、音声認識部１１４が設けられている。なお、これらの各機能部は、バス１０１に接続されており、このバス１０１を介してデータの授受を行う。
【００２８】
制御部１００は、画像形成装置１０に設けられた上記各機能部の制御を行う。ここで、制御部１００は、ＣＰＵ（Central Processing Unit）１０２、ＲＯＭ（Read Only Memory）１０３、ＲＡＭ（Random Access Memory）１０４により構成されている。本実施の形態では、ＣＰＵ１０２により実行される制御プログラムは、ＲＯＭ１０３に記憶されている。
【００２９】
ＣＰＵ１０２は、ＲＯＭ１０３に記憶されている制御プログラムを読み出し、ＲＡＭ１０４を作業エリアにして制御プログラムを実行する。ＣＰＵ１０２により制御プログラムが実行されると、画像形成装置１０の各機能部が制御される。これにより、例えば、表示部１０７に予め定めた表示がなされる。また、記録媒体への画像形成が行われる。また、画像読取部１０８にセットされた原稿の読み取りなどが行われる。
【００３０】
なお、ＣＰＵ１０２によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて画像形成装置１０にダウンロードさせてもよい。
【００３１】
表示部１０７は、例えば、液晶のタッチパネルディスプレイにより構成されている。表示部１０７は、制御部１００の制御の下、例えば、画像形成装置１０に関するデータを表示する。また、表示部１０７は、ユーザからの操作を受け付けるための表示画面を表示する。そして、この表示画面を介して、例えば、ボタンの選択、ページ捲り（スクロール）等のユーザからの操作を受け付ける。受け付けた操作や画面遷移は、記憶部１０５等の記憶手段に操作履歴として記憶される。
【００３２】
画像読取部１０８は、文書を読み取り、読み取った文書の画像を表す画像データを生成する画像読取装置（スキャナ装置）を備えている。画像読取部１０８は、スキャナ装置により生成された画像データを、画像処理部１１１へ出力する。画像形成部１０９は、電子写真方式等によって記録媒体（例えば、用紙）に対して画像データに応じたトナー像を形成する画像形成機構を備えている。
【００３３】
通信部１１０は、不図示の通信回線に接続されており、通信回線に接続されている他の装置と通信を行う通信インターフェースとして機能する。画像処理部１１１は、入力される画像データに色補正や階調補正等の画像処理を施すものである。画像処理部１１１は、画像処理が施された画像データを生成して、画像形成部１０９へ出力する。記憶部１０５は、ハードディスク装置などの記憶装置を具備しており、例えば通信部１１０で受信したデータや画像形成装置１０で生成されたデータを記憶する。
【００３４】
動作認識部１１２は、画像形成装置１０を撮影するカメラ１１３と接続されている。カメラ１１３は、例えば正面から、画像形成装置１０を撮影する。操作指示の各指示内容に対応する動作の画像は、記憶部１０５に予め記憶されている。動作認識部１１２は、パターンマッチング等の画像認識の手法を用いて、予め記憶された動作の画像に類似する画像を検索することにより、動作による操作指示の内容を取得する。
【００３５】
本実施の形態では、動作認識部１１２は、カメラ１１３により撮影された映像に基づいて、ユーザの動作（ジェスチャ）により「予め定めた操作状態」を検知する。後述する「迷い動作」等、「予め定めた操作状態」を表す画像が、記憶部１０５に予め記憶されている。動作認識部１１２は、カメラ１１３により撮影された映像から、「予め定めた操作状態」を表す画像に類似する画像が見つかった場合に、「予め定めた操作状態」が検知されたものとする。
【００３６】
音声認識部１１４は、音声を検知するマイク１１５と接続されている。音声認識部１１４は、マイク１１５により検知された音声をデジタルの音声データに変換し、デジタル音声データを文字データへ変換する。操作指示の各指示内容に対応する文字列は、記憶部１０５に予め記憶されている。音声認識部１１４は、変換した文字データから予め記憶した文字列を検索することにより、音声による操作指示の内容を取得する。
【００３７】
本実施の形態では、音声認識部１１４は、マイク１１５により検知された音声に基づいて、ユーザの発した音声（言葉）により「予め定めた操作状態」を検知する。例えば「困った」「迷った」「どれだ？」等、「予め定めた操作状態」を表す文字列が、記憶部１０５に予め記憶されている。音声認識部１１４は、マイク１１５により検知された音声を表す文字列が、「予め定めた操作状態」を表す文字列と一致する場合に、「予め定めた操作状態」が検知されたものとする。
【００３８】
本実施の形態では、表示部１０７と後述する「画面表示処理」を実行する制御部１１０とが「表示手段」の一例であり、後述する「検知処理」を実行する制御部１１０が「検知手段」の一例である。また、ユーザの動作を検知する場合は、動作認識部１１２及びカメラ１１３も「検知手段」の一部である。ユーザの音声を検知する場合は、音声認識部１１４及びマイク１１５も「検知手段」の一部である。
【００３９】
（ホーム画面）
図２から図４までは、表示部１０７に表示されるホーム画面の一例を示す模式図である。ログイン前は、表示部１０７には、図２に示すホーム画面が表示されている。ログイン前のホーム画面には、複数の選択用ボタン２１と共に、ログインボタン１１、設定ボタン２Ａ、リセットボタン２Ｂが表示されている。
【００４０】
選択用ボタン２１は、サービス処理を選択するための「操作子」の一例である。ここで「操作子」とは、操作対象を操作画面上に図柄（画像）で表現したものである。本実施の形態では、サービス処理を図柄（画像）で表現している。例えば、マウスによる操作であれば、操作子上にカーソルを重ねてクリックする操作により、サービス処理が選択される。複数の選択用ボタン２１の何れかがユーザにより選択（押圧）されることで、選択用ボタン２１に関連付けられている機能（サービス処理）が実行される。
【００４１】
図２に示す例では、選択用ボタン２１として、「コピー」、「ファクス」、「スキャン」、「メディア接続」、「プリント」、「ＰＣ保存」、「メール」、「画像」のサービス処理を選択するための選択用ボタン２１が表示されている。図２に示す例では、選択用ボタン２１に使用される図柄は、選択用ボタン２１に対応するサービス処理の内容を表している。
【００４２】
ログインボタン１１がユーザにより選択されることで、ログイン認証が行われる。ログイン認証では、ユーザから受け付けたユーザＩＤやパスワード等が、予め登録された情報と一致するか否かにより認証が行われる。
【００４３】
ログイン後は、表示部１０７には、図３に示すユーザ用のホーム画面が表示される。ユーザ用のホーム画面は、個々のユーザに対応して表示されるものである。ユーザ用のホーム画面は、ユーザＩＤに関連付けて記憶されたホーム画面情報に基づいて生成される。
【００４４】
ホーム画面情報としては、ユーザ用のホーム画面に表示する選択用ボタン２１の情報、表示される選択用ボタン２１を表す画像に関する情報、表示される選択用ボタン２１に関連付けられている機能（サービス処理）に関する情報等が記憶されている。
【００４５】
ユーザ用のホーム画面にも、複数の選択用ボタン２１、設定ボタン２Ａ、及びリセットボタン２Ｂが表示されている。ログイン後は、ログインボタン１１の代わりに、ユーザ名１２が表示される。図３に示す例では、「コピー」、「ファクス」、「スキャン」、「メディア接続」、「Ａ」、「Ｂ」、「Ｃ」、「画像」の何れかのサービス処理を選択するための選択用ボタン２１が表示されている。
【００４６】
本実施の形態では、初期設定として予め用意されている選択用ボタン２１の外に、ユーザにより作成された新たな選択用ボタン２１が、ユーザ用のホーム画面に表示されている。即ち、ユーザが新たなサービス処理を登録した場合、登録されたサービス処理を選択するための新たな選択用ボタン２１がホーム画面に追加される。例えば、図３に示す例では、「Ａ」、「Ｂ」、「Ｃ」はユーザにより登録されたサービス処理である。図３に示す例では、ユーザにより登録されたサービス処理の選択用ボタン２１には、ユーザにより選択された図柄が使用されている。ユーザにより選択された図柄は、選択用ボタン２１に対応するサービス処理の内容を必ずしも表していない。
【００４７】
ユーザにより登録されるサービス処理には、複数のユーザにより利用される「共有」のサービス処理と、登録を行ったユーザ個人により利用される「個人」のサービス処理とがある。また、ユーザにより登録されるサービス処理には、「通常」のサービス処理と「ワンタッチ」のサービス処理とがある。なお、以下では、ワンタッチのサービス処理を選択する選択用ボタン２１を、「ワンタッチの選択用ボタン２１」という。
【００４８】
通常のサービス処理では、ホーム画面で選択用ボタン２１が選択されると、実行するか否かを確認する確認画面や、機能の詳細な設定を行うための設定画面が表示される。選択用ボタン２１の選択を行うだけでは、サービス処理の実行は開始されない。一方、ワンタッチのサービス処理では、ホーム画面においてワンタッチの選択用ボタン２１の選択を１回行うだけで、サービス処理の実行が開始される。確認画面や設定画面は表示されず、実行中であることを示す実行画面が表示される。
【００４９】
ワンタッチの選択用ボタン２１には、図３に示すように、「ワンタッチ」であることを示す菱形のマーク（ワンタッチバッジ９Ｅ）が付加されている。図３に示す例では、「Ａ」及び「Ｂ」のサービス処理を選択するための選択用ボタン２１には、ワンタッチバッジ９Ｅが付加されている。なお、ワンタッチのサービス処理の登録については後述する。
【００５０】
また、本実施の形態では、ホーム画面は、複数のページにより構成されている。図３には最初のページを示す。図３に示すように、ユーザの指１４により矢印方向にスクロールすることで、最初のページから、図４に示す他のページに切り替わる。そして、画面右上のリセットボタン２Ｂがユーザにより押圧されると、デフォルトである最初のページに戻る。
【００５１】
ページの切り替えが行われると、他の選択用ボタン２１が現れる。図４に示す例では、「Ｆ」、「Ｇ」、「プリント」、「ＰＣ保存」、「Ｈ」、「Ｉ」、「Ｊ」、「メール」のサービス処理を選択するための選択用ボタン２１が表示される。「Ｆ」、「Ｇ」、「Ｈ」、「Ｉ」、「Ｊ」は、ユーザにより登録されたサービス処理である。なお、ログイン前のホーム画面も複数のページにより構成されており、ユーザ用のホーム画面と同様に、ユーザのスクロール操作によってページの切り替えが行われる。
【００５２】
通常のサービス処理の場合は、選択用ボタン２１を予め定めた時間押し続けると、詳細な設定を行うための設定画面に遷移し、この選択用ボタン２１に関連づけられている機能の詳細な設定を行えるようになる（図５（Ａ）参照）。その後、スタートボタン等の予め定めたボタンがユーザにより押圧されることで、コピーなどの処理が開始される。なお、本実施の形態では、スタートボタンは表示画面上ではなく、図示しない画像形成装置の他の箇所に配置されている。
【００５３】
なお、ワンタッチのサービス処理の機能の設定を変更する場合は、設定用のホーム画面（図示せず）に遷移してから、機能の設定を変更する。本実施の形態では、設定ボタン２Ａがユーザにより押圧されることで、設定用のホーム画面（図示せず）に遷移する。設定用のホーム画面（図示せず）では、図３及び図４に示すホーム画面とは異なり、ワンタッチの選択用ボタン２１が選択されても、ワンタッチのサービス処理の実行が開始されない。
【００５４】
設定用のホーム画面では、選択用ボタン２１を予め定めた時間押し続けると、詳細な設定を行うための設定画面に遷移し、この選択用ボタン２１に関連づけられている機能の詳細な設定を行えるようになる（図５（Ａ）参照）。その後、スタートボタン等の予め定めたボタンがユーザにより押圧されることで、コピーなどの処理が開始される。
【００５５】
また、本実施の形態では、ホーム画面の選択用ボタン２１の各々は、ユーザの操作によって移動される。具体的には、選択用ボタン２１を指１４で押した状態で、指１４を移動させる、いわゆるドラッグアンドドロップ操作によって、選択用ボタン２１の移動が行われる。
【００５６】
（ワンタッチ）
次に、ワンタッチのサービス処理の登録について説明する。
図５（Ａ）から図５（Ｃ）まではワンタッチの選択用ボタンをユーザが作成する際の表示画面を示した図である。図５（Ａ）に示す設定画面は、メール送信時の設定画面を表示している。例えば、図４に示すホーム画面で「メール」の選択用ボタン２１が選択されると、メール送信時の設定画面に切り替わる。なお、「メール」は通常のサービス処理である。
【００５７】
図５（Ａ）に示す設定画面で設定ボタン９Ａがユーザにより押圧されると、太線黒枠内に図示した「ワンタッチアプリ作成」用のボタンが表示される。このボタンを選択することで、図５（Ｂ）に示す作成画面が表示される。作成画面には、ワンタッチの選択用ボタン２１の作成にあたって必要となる情報等をユーザが入力するためのボタンやボックス等が表示される。具体的には、作成画面には、名前ボックス（１行目、２行目）３１、画像の変更ボタン９Ｂ、ワンタッチ選択ボタン３４、種別表示部３５、説明ボックス３６、プレビュー表示部３７、作成ボタン３８等が表示される。
【００５８】
名前ボックス３１には、作成する選択用ボタン２１の名前がユーザにより入力される。画像の変更ボタン９Ｂは、作成する選択用ボタン２１（操作子）に使用される画像を変更するためのボタンである。画像の変更ボタン９Ｂがユーザにより押圧されると、図６に示すワンタッチの選択用ボタン２１に使用される画像の一覧を示す一覧画面が表示される。ユーザにより画像が選択されると、デフォルトの画像が、選択された画像に変更される。
【００５９】
ワンタッチ選択ボタン３４は、ダイレクトスタートを「する」、「しない」を選択するボタンである。ワンタッチ選択ボタン３４は、つまみを左右に移動させることで、ダイレクトスタート（ワンタッチ）に「する」、「しない」を選択することができるスライド式のボタンである。ワンタッチ選択ボタン３４にて「する」を選択した場合には、作成される選択用ボタン２１は、「ワンタッチの選択用ボタン２１」となる。
【００６０】
この場合、上述したように、ホーム画面に表示されるワンタッチの選択用ボタン２１には、ワンタッチバッジ９Ｅが付加されることになる。ワンタッチバッジ９Ｅにより、ワンタッチの選択用ボタン２１と通常の選択用ボタン２１とをホーム画面上で見分けることができる。一方、ワンタッチ選択ボタン３４にて「しない」を選択した場合には、作成される選択用ボタン２１は、「ワンタッチの選択用ボタン２１」ではなく通常の選択用ボタン２１となる。
【００６１】
種別表示部３５には、作成する選択用ボタン２１に関連付ける機能の種別が表示される。説明ボックス３６には、作成する選択用ボタン２１に関する説明文がユーザにより入力される。プレビュー表示部３７には、作成する選択用ボタン２１がホーム画面に表示される際の状態が表示される。作成ボタン３８は、選択用ボタン２１の作成を完了するためのボタンである。
【００６２】
図５（Ｂ）に示す作成画面に対するユーザの入力が終了し、作成ボタン３８がユーザにより押圧されることで、図５（Ｃ）に示すホーム画面に表示が切り替わる。新しいホーム画面には、「ワンタッチメール送信」というワンタッチの選択用ボタン２１が追加される。「ワンタッチメール送信」の選択用ボタン２１には、ワンタッチバッジ９Ｅが付加されている。なお、ここでは、ワンタッチのサービス処理の登録について説明したが、本実施の形態では、通常のサービス処理の登録も行うことができる。
【００６３】
上記の通り、ユーザにより新たな選択用ボタン２１が追加されるため、ユーザ用のホーム画面には、予め用意された選択用ボタン２１以外の選択用ボタン２１が表示される。図柄や名前が同一または類似の複数の選択用ボタン２１が表示される場合もある。また、ワンタッチの選択用ボタン２１が追加された場合は、ホーム画面で選択を１回行うだけでサービス処理の実行が開始されてしまう。このため、選択用ボタン２１の選択に慎重になり、迷いが生じてしまう。また、ユーザ個人が選択用ボタン２１を管理していても、第３者により「共有」のサービス処理の選択用ボタン２１が追加されることもある。これらの事情により、新たな選択用ボタン２１が追加されない場合に比べて、ユーザが目的の選択用ボタン２１を選択することが難しくなっている。
【００６４】
本実施の形態では、選択用ボタン２１を選択する前のユーザの操作状態を監視して、予め定めた操作状態が検知された場合には、予め定めた操作状態を検知したときのホーム画面よりも、選択用ボタン２１を選択し易いホーム画面が表示されるように、ユーザ用のホーム画面を変更する。
【００６５】
ここで「予め定めた操作状態」とは、ホーム画面で選択用ボタン２１を選択する前に行われるユーザの操作状態のうち、予め定めた操作状態をいう。予め定めた操作状態には、何らかの操作が行われた状態の外に、予め定めた時間内に何も操作が行われていない状態も含まれる。また、ユーザの操作には、ボタンの選択、スクロール等の表示部１０７に対する操作の外に、ジェスチャ入力等の動作による操作、音声入力等の音声による操作なども含まれる。
【００６６】
（画面表示処理）
次に、「画面表示処理」について説明する。
図７は「画面表示処理」の処理の流れの一例を示すフローチャートである。図８は「検知処理」の処理の流れの一例を示すフローチャートである。図９は「表示変更処理」の処理の流れの一例を示すフローチャートである。「画面表示処理」等を実行する制御プログラムは、制御部１００のＲＯＭ１０３に予め記憶されており、ＣＰＵ１０２によってＲＯＭ１０３から読み出されて実行される。ユーザがログインすると「画面表示処理」の実行が開始される。
【００６７】
まず、ステップ１００で、記憶部１０５に記憶されているユーザのホーム画面情報を取得する。次に、ステップ１０２で、取得したホーム画面情報に基づいてユーザ用のホーム画面を生成する。次に、ステップ１０４で、生成したユーザ用のホーム画面を表示部１０７に表示する。
【００６８】
次に、ステップ１０６で、ユーザの予め定めた操作状態を検知する「検知処理」を実行する。第１の実施の形態では、表示部１０７で受け付けたユーザからの操作履歴と、カメラ１１３により撮影されたユーザの映像とから、ユーザの予め定めた操作状態を検知する。第１の実施の形態では、予め定めた操作状態は、ユーザがいずれの選択用ボタン２１を選択するか迷っている操作状態である。
【００６９】
「検知処理」では、図８に示すように、ステップ２００で、ホーム画面でスクロールを繰り返しているかを判断する。スクロールを繰り返していない場合は、ステップ２０２に進む。スクロールを繰り返している場合は、ステップ２１０に進んで、予め定めた操作状態を検知したと判定する。
【００７０】
次に、ステップ２０２で、画面遷移せずに予め定めた時間が経過したか否かを判断する。制御部１００の図示しないタイマーにより、ホーム画面の最初のページが表示されると時間の計測が開始され、画面遷移すると時間の計測が終了する。予め定めた時間が経過していない場合は、ステップ２０４に進む。予め定めた時間が経過した場合は、ステップ２１０に進んで、予め定めた操作状態を検知したと判定する。
【００７１】
次に、ステップ２０４で、画面遷移後にサービス処理を実行せずにホーム画面に戻ったか否かを判断する。ホーム画面に戻っていない場合は、ステップ２０６に進む。ホーム画面に戻った場合は、ステップ２１０に進んで、予め定めた操作状態を検知したと判定する。
【００７２】
次に、ステップ２０６で、カメラ１１３により撮影されたユーザの映像から、動作認識部１１２が「迷い動作」を検知したか否かを判断する。ここで「迷い動作」とは、ホーム画面を見ているが一定時間全く操作をしていない、ホーム画面を表示した状態で視線がキョロキョロしている等の動作である。
【００７３】
迷い動作が検知されていない場合は、ステップ２０８に進んで、予め定めた操作状態を検知していない(非検知）と判定してルーチンを終了する。迷い動作が検知された場合は、ステップ２１０に進んで、予め定めた操作状態を検知したと判定してルーチンを終了する。
【００７４】
本実施の形態では、ホーム画面でスクロールを繰り返している状態、画面遷移せずに予め定めた時間が経過した状態、画面遷移後にサービス処理を実行せずにホーム画面に戻った状態、及び「迷い動作」を行っている状態を、予め定めた操作状態とする。これらは、ユーザがいずれの選択用ボタン２１を選択するか迷っている操作状態である。
【００７５】
予め定めた操作状態の何れかが検知されると、現在より操作し易いホーム画面となるようにユーザ用のホーム画面の表示が変更される。なお、例示した状態の一部を、予め定めた操作状態としてもよい。例えば、カメラが設置されていない場合、動作認識部を備えない場合は、「迷い動作」を行っている状態を省略してもよい。
【００７６】
ここで、図７に示すフローチャートの説明に戻る。
「検知処理」が終了すると、次にステップ１０８で、予め定めた操作状態を検知したか否かを判断する。予め定めた操作状態を検知した場合は、ステップ１１０に進む。一方、予め定めた操作状態を検知していない場合は、ステップ１１４に進む。
【００７７】
次に、ステップ１１０で、ホーム画面の表示を変更する「表示変更処理」を実行する。上記の通り、ユーザ毎にホーム画面情報が記憶されている。ホーム画面情報は、ユーザ用のホーム画面に表示する複数の選択用ボタン２１の情報を含む。図１０に示すように、複数の選択用ボタン２１の各々について、機能の種類、選択用ボタン２１を表す画像に関する情報、機能に関する情報が関連付けられている。ここで、機能に関する情報を「関連情報」という。
【００７８】
機能の種類とは、コピー、ファクス等のサービス処理の種類である。選択用ボタン２１を表す画像に関する情報は、ホーム画面に表示される状態での選択用ボタン２１の画像に関する情報である。図５（Ｂ）のプレビュー表示部３７への表示と同様に、ホーム画面に表示される状態での「選択用ボタン２１の画像に関する情報」には、選択用ボタン２１に使用される画像の情報、選択用ボタン２１に付加される画像の情報、及び選択用ボタン２１に併記される名前の情報が含まれる。選択用ボタン２１に付加される画像とは、ワンタッチバッジ９Ｅ等、バッジの画像である。
【００７９】
関連情報には、サービス処理の利用形態、サービス処理の実行回数を表す情報、及びサービス処理の設定内容を表す情報が含まれる。本実施の形態では、サービス処理の利用形態として「共有」か「個人」かの違いを記憶している。サービス処理の実行回数を表す情報は、サービス処理が実行されるたびに更新される。サービス処理の設定内容は、選択用ボタン２１に関連づけられている機能についての詳細な設定内容である。
【００８０】
本実施の形態では、予め定めた操作状態が検知された場合に、上記の「関連情報」を選択用ボタン２１に重ねて表示することで、目的とする選択用ボタン２１の選択が現在より容易になり、誤選択が低減される。なお、上記の通り、ワンタッチ用の選択用ボタン２１には、ワンタッチバッジ９Ｅが予め付加されている。
【００８１】
「表示変更処理」では、図９に示すように、ステップ３００で、サービス処理の利用形態と実行回数を表す情報を取得する。次に、ステップ３０２で、取得した情報に基づいてホーム画面情報を変更する。具体的には、後述する共有バッジ９Ｆや回数バッジ９Ｇの画像情報を生成し、共有バッジ９Ｆや回数バッジ９Ｇが選択用ボタン２１に重ねて表示されるように、ホーム画面に表示される状態での「選択用ボタン２１の画像に関する情報」を変更する。次に、ステップ３０４で、変更後のホーム画面情報に基づいて新しいホーム画面を生成して、ルーチンを終了する。
【００８２】
ここで、図７に示すフローチャートの説明に戻る。
「表示変更処理」が終了すると、次にステップ１１２で、変更後のホーム画面を表示する。図１１は変更後のホーム画面の一例を示す模式図である。第１の実施の形態では、図１１に示すように、ホーム画面に表示された選択用ボタン２１のうち、「共有」のサービス処理の選択用ボタン２１には、共有であることを示す共有バッジ９Ｆが付加されている。
【００８３】
また、ホーム画面に表示された選択用ボタン２１のうち、ユーザにより実行されたことがあるサービス処理の選択用ボタン２１には、実行回数を表示する回数バッジ９Ｇが付加されている。上記の通り、ユーザにより新たな選択用ボタン２１が追加されるため、新たな選択用ボタン２１が追加されていない場合に比べて、ユーザが目的の選択用ボタン２１を選択することが難しくなっている。ユーザは、ホーム画面に表示された選択用ボタン２１を選択する際に、付加された共有バッジ９Ｆや回数バッジ９Ｇをヒントにして、目的の選択用ボタン２１を選択する。
【００８４】
次に、ステップ１１４で、画面遷移したか否かを判断する。選択用ボタン２１が選択されると、ホーム画面から確認画面や設定画面に遷移する。画面遷移した場合は、ステップ１１６に進む。一方、画面遷移していない場合は、ステップ１０６に戻る。画面遷移しない限り「検知処理」以下の手順が繰り返される。
【００８５】
次に、ステップ１１６で、ホーム画面の最初のページ（デフォルト）に戻ったか否かを判断する。デフォルトに戻った場合は、ステップ１０６に戻る。デフォルトに戻るたびに「検知処理」以下の手順が繰り返される。一方、デフォルトに戻っていない場合は、ステップ１１８に進む。次に、ステップ１１８で、ログアウトしたか否かを判断する。ログアウトした場合は、ルーチンを終了し、ログアウトしていない場合は、ステップ１１６に戻る。
【００８６】
＜第２の実施の形態＞
第２の実施の形態では、表示部１０７で受け付けたユーザからの操作履歴と、ホーム画面に表示される選択用ボタン２１の類比とから、ユーザの予め定めた操作状態を検知する。第２の実施の形態では、予め定めた操作状態は、ユーザがどの選択用ボタン２１を選択するか迷っていると推測される操作状態である。「検知処理」及び「表示変更処理」の手順以外は、第１の実施の形態と同様であるため、同じ部分については説明を省略する。
【００８７】
図１２は第２の実施の形態に係る「検知処理」の処理の流れの一例を示すフローチャートである。第２の実施の形態に係る「検知処理」では、ステップ３１０で、ホーム画面でスクロールを停止した後で予め定めた時間が経過したか否かを判断する。本実施の形態では、現時点から遡って最後にスクロールされた時点までの時間が、予め定めた時間以上の場合に、予め定めた時間が経過したと判断する。
【００８８】
予め定めた時間が経過した場合は、ステップ３１２に進む。一方、予め定めた時間が経過していない場合は、ステップ３１８に進んで、予め定めた操作状態を検知していない（非検知）と判定してルーチンを終了する。
【００８９】
次に、ステップ３１２で、ユーザ用のホーム画面に表示される複数の選択用ボタン２１の中に、画像が同一または類似の複数の選択用ボタン２１が在るか否かを判断する。選択用ボタン２１に使用されている画像の類比は、例えば、図柄が同じで色も同じ場合は「同一」とし、図柄が同じで色が異なる場合は「類似」としてもよい。
【００９０】
本実施の形態では、選択用ボタン２１に使用されている画像に、図柄や色等の画像の属性に応じて数値（例えば、整理番号など）が予め付与されている。例えば、図６に示すワンタッチの選択用ボタン２１に使用される画像の一覧を示す一覧画面では、図柄が同じ画像には連続する整理番号が付与されている。したがって、比較する２つの選択用ボタン２１の間で、使用されている画像に付与された数値が同じ場合は、画像が「同一」であるとする。一方、使用されている画像に付与された数値の「差」が、１以上５以下等、予め定めた範囲にある場合は、画像が「類似」するものとする。
【００９１】
画像が同一または類似の複数の選択用ボタン２１がある場合は、ステップ３１４に進んで、予め定めた操作状態を検知したと判定してルーチンを終了する。画像が同一または類似の複数の選択用ボタン２１が無い場合は、ステップ３１６に進む。
【００９２】
次に、ステップ３１６で、ホーム画面情報に基づいて、ユーザ用のホーム画面に表示される複数の選択用ボタン２１の中に、名前が同一または類似の複数の選択用ボタン２１が在るか否かを判断する。選択用ボタン２１には、「コピー」、「ファクス」、「ワンタッチメール送信」等、サービス処理の名前が併記されている。併記されている名前の類比は、例えば、名前が完全に一致する場合は「同一」とし、名前が部分的に一致する場合は「類似」とする。
【００９３】
名前が同一または類似の複数の選択用ボタン２１がある場合は、ステップ３１４に進んで、予め定めた操作状態を検知したと判定してルーチンを終了する。名前が同一または類似の複数の選択用ボタン２１が無い場合は、ステップ３１８に進んで、予め定めた操作状態を検知していない（非検知）と判定してルーチンを終了する。
【００９４】
本実施の形態では、画像が同一または類似の複数の選択用ボタン２１及び名前が同一または類似の複数の選択用ボタン２１の少なくとも一方を有するホーム画面（ページ）でスクロールを停止している状態を、予め定めた操作状態とする。これらは、ユーザがどの選択用ボタン２１を選択するか迷っていると推測される操作状態である。予め定めた操作状態が検知された場合に、上記の「関連情報」を選択用ボタン２１に重ねて表示することで、目的とする選択用ボタン２１の選択が現在より容易になり、誤選択が低減される。
【００９５】
図１３は第２の実施の形態に係る「表示変更処理」の処理の流れの一例を示すフローチャートである。第２の実施の形態に係る「表示変更処理」では、ステップ４００で、サービス処理の設定内容を表す情報を取得する。次に、ステップ４０２で、取得した情報に基づいてホーム画面情報を変更する。具体的には、後述する設定内容の表示９Ｈの画像情報を生成し、設定内容の表示９Ｈが選択用ボタン２１に重ねて表示されるように、選択用ボタン２１の図柄に係る画像情報を変更する。次に、ステップ４０４で、変更後のホーム画面情報に基づいて新しいホーム画面を生成して、ルーチンを終了する。
【００９６】
「表示変更処理」が終了すると、変更後のホーム画面が表示される。図１４は変更後のホーム画面の一例を示す模式図である。第２の実施の形態では、図１４に示すように、ホーム画面に表示された選択用ボタン２１のうち、画像や名前が同一または類似の複数の選択用ボタン２１には、選択用ボタン２１に関連付けられているサービス処理の設定内容の表示９Ｈが付加されている。
【００９７】
画像や名前が同一または類似の複数の選択用ボタン２１を有するホーム画面では、ユーザが目的の選択用ボタン２１を選択することが難しい。本実施の形態では、画像や名前が同一または類似の複数の選択用ボタン２１の各々に、その選択用ボタン２１に関連付けられているサービス処理の設定内容の表示９Ｈが付加される。ユーザは、付加された設定内容の表示９Ｈから、それらの選択用ボタン２１を区別して、何れかの選択用ボタン２１を選択する。
【００９８】
図示した例では、「Ｆ」、「Ｉ」、「Ｊ」のサービス処理を選択するための選択用ボタン２１は、色は不明であるが、いずれも星の画像である。これら画像が同一または類似の複数の選択用ボタン２１には、異なる関連情報が付加されている。「Ｆ」の選択用ボタン２１には「本社/ＦＡＸ送信」との表示９Ｈ、「Ｉ」の選択用ボタン２１には「Ａ社/ＦＡＸ送信」との表示９Ｈ、「Ｊ」の選択用ボタン２１には「蓄積プリント」との表示９Ｈが、各々付加されている。また、図示したように、選択用ボタン２１に共有バッジ９Ｆや回数バッジ９Ｇを付加してもよい。
【００９９】
なお、画像や名前が同一または類似の複数の選択用ボタン２１があるか否かは、複数のページにより構成されるホーム画面のうち、全部のページを対象にして判断してもよく、スクロールを停止したときに表示されているページを対象にして判断してもよい。また、第３者により「共有」のサービス処理として追加された選択用ボタン２１を対象にする等、制限された範囲で、画像や名前が同一または類似の複数の選択用ボタン２１があるか否かを判断してもよい。
【０１００】
＜参考例＞
参考例では、画像形成装置１０の原稿検知センサの検知結果、カメラ１１３により撮影されたユーザの映像、記憶部１０５に蓄積された文書データの有無、及び画像形成指示の内容から、ユーザの予め定めた操作状態を検知する。参考例では、予め定めた操作状態は、何れかの選択用ボタン２１を選択しようとしているユーザの操作状態である。「検知処理」及び「表示変更処理」の手順以外は、第１の実施の形態と同様であるため、同じ部分については説明を省略する。
【０１０１】
図１５は参考例に係る「検知処理」の処理の流れを示すフローチャートである。参考例に係る「検知処理」では、ステップ５００で、原稿送り器に原稿がセットされたか否かを判断する。画像読取部１０８の原稿送り器に設けられた原稿検知センサが、セットされた原稿を検知する。この検知結果に基づいて、原稿送り器に原稿がセットされたか否かが判断される。原稿がセットされた場合は、ステップ５０２に進む。
【０１０２】
ステップ５０２では、コピー、スキャン、及びファクスの何れかのサービス処理を実行する前の予備操作が行われたと判定してルーチンを終了する。即ち、コピー、スキャン、及びファクスの何れかのサービス処理の選択用ボタン２１を、ユーザが選択しようとしていると判定する。
【０１０３】
ステップ５００で原稿がセットされていない場合は、ステップ５０４に進む。ステップ５０４では、カメラ１１３により撮影された映像から、ユーザが検知されたか否かを判断する。ユーザが画像形成装置１０に近付いて、カメラ１１３の撮影圏内に入ると、ユーザが検知される。ユーザが検知された場合は、ステップ５０６に進む。
【０１０４】
ステップ５０６では、カメラ１１３により撮影されたユーザの映像から、ユーザが原稿を所持しているか否かを判断する。ユーザの映像から動作認識部１１２が「原稿を所持して近付く動作」を検知した場合は、ユーザが原稿を所持していると判断される。一方、ユーザの映像から動作認識部１１２が「原稿を所持して近付く動作」を検知していない場合は、ユーザが原稿を所持していないと判断される。
【０１０５】
ユーザが原稿を所持している場合は、ステップ５０２に進む。ステップ５０２で、コピー、スキャン、及びファクスの何れかのサービス処理を実行する前の予備操作が行われたと判定する。
【０１０６】
ユーザが原稿を所持していない場合は、ステップ５０８に進む。ステップ５０８では、プリントのサービス処理を実行する前の予備操作が行われたと判定してルーチンを終了する。即ち、プリントのサービス処理の選択用ボタン２１を、ユーザが選択しようとしていると判定する。
【０１０７】
ステップ５０４でユーザが検知されていない場合は、ステップ５１０に進む。ステップ５１０では、記憶部１０５にユーザにより蓄積された文書データが有るか否かを判断する。蓄積された文書データが有る場合には、ステップ５１２に進む。蓄積された文書データが無い場合には、ルーチンを終了する。蓄積された文書データが有る場合は、画像形成指示の内容に基づいてプリントのサービス処理が行われる。ステップ５１２では、ユーザによる画像形成指示の内容から、蓄積された文書データの全部が選択されているか否かを判断する。
【０１０８】
蓄積された文書データの全部が選択されている場合は、ステップ５１４に進む。ステップ５１４では、未出力の蓄積文書のプリントを一括で行う「一括プリント」のサービス処理を実行する前の予備操作が行われたと判定してルーチンを終了する。即ち、一括プリントのサービス処理の選択用ボタン２１を、ユーザが選択しようとしていると判定する。
【０１０９】
蓄積された文書データの全部が選択されていない場合、即ち、蓄積された文書データの一部が選択されている場合は、ステップ５１６に進む。ステップ５１６では、選択された蓄積文書のプリントを行う「蓄積プリント」のサービス処理を実行する前の予備操作が行われたと判定して、ルーチンを終了する。即ち、蓄積プリントのサービス処理の選択用ボタン２１を、ユーザが選択しようとしていると判定する。
【０１１０】
なお、「蓄積プリント」の場合は、サービス処理を実行する前に、蓄積文書のデータリストが表示される。これに対して、「一括プリント」の場合は、蓄積文書のデータリストを表示せずに、サービス処理を実行する。
【０１１１】
参考例では、原稿送り器に原稿がセットされた、原稿を所持して画像形成装置に近付いた、原稿を所持せずに画像形成装置に近付いた、蓄積された文書データの全部を選択して画像形成指示を行った、蓄積された文書データの一部を選択して画像形成指示を行った操作状態を、予め定めた操作状態とする。これらは、どの選択用ボタン２１を選択しようとしているか、ユーザの次の操作が予測できる操作状態である。
【０１１２】
予め定めた操作状態が検知された場合に、予測されるサービス処理を選択するための選択用ボタン２１を他の選択用ボタン２１より目立つように表示することで、目的とする選択用ボタン２１の選択が現在より容易になり、誤選択の低減に繋がる。
【０１１３】
図１６は参考例に係る「表示変更処理」の処理の流れを示すフローチャートである。第３の実施の形態に係る「表示変更処理」では、ステップ６００で、判定結果（予備操作から予測されるサービス処理）に基づいて、予測されるサービス処理をホーム画面情報から検索する。例えば、予測されるサービス処理が「プリント」である場合には、プリントとして登録されたサービス処理を探し出す。
【０１１４】
次に、ステップ６０２で、検索結果に基づいてホーム画面情報を変更する。具体的には、予測されるサービス処理を選択するための選択用ボタン２１が表示されると共に、他の選択用ボタン２１が削除されるように、ホーム画面情報を変更する。即ち、ユーザ用のホーム画面に表示する複数の選択用ボタン２１の情報から、他の選択用ボタン２１の情報を削除する。次に、ステップ６０４で、変更後のホーム画面情報に基づいて新しいホーム画面を生成して、ルーチンを終了する。
【０１１５】
図１７は変更後のホーム画面の一例を示す模式図である。「表示変更処理」が終了すると、変更後のホーム画面が表示される（図７のステップ１１２）。図示した例は、コピー、スキャン、及びファクスの何れかのサービス処理を実行する前の予備操作が行われたと判定された場合のホーム画面である。予測されるサービス処理であるコピー、スキャン、及びファクスを選択するための選択用ボタン２１だけが、ホーム画面に表示されている。
【０１１６】
参考例では、ユーザが選択するサービス処理を予測し、予測されるサービス処理の選択用ボタン２１だけをホーム画面に表示する。このため、ホーム画面に表示される選択用ボタン２１（選択肢）の数が減少し、ユーザは迷うことなく目的の選択用ボタン２１を選択する。
【０１１７】
上記の参考例では、予測されるサービス処理の選択用ボタン２１以外の他の選択用ボタン２１を削除する例について説明するが、予測されるサービス処理の選択用ボタン２１が、他の選択用ボタン２１より目立つように表示されればよい。例えば、予測されるサービス処理の選択用ボタン２１を、他の選択用ボタン２１より大きく表示する、他の選択用ボタン２１より濃く表示する等してもよい。または、他の選択用ボタン２１を、予測されるサービス処理の選択用ボタン２１より小さく表示する、他の選択用ボタン２１より薄く表示する等してもよい。または、第１及び第２の実施の形態と同様に、予測されるサービス処理の選択用ボタン２１に関連付けられている情報を、バッジとして選択用ボタン２１に付加してもよい。
【０１１８】
上記の参考例は、サービス処理を選択するための複数の操作子が表示される表示手段と、前記操作子を選択する前のユーザの操作状態を検知する検知手段と、を備え、サービス処理を実行するための予備操作として予め定めた操作状態が検知された場合に、前記表示手段は、前記複数の操作子のうち、前記予備操作から予測されるサービス処理を選択するための一部の操作子を選択的に表示する、情報処理装置に係るものである。
【０１１９】
前記表示手段は、前記一部の操作子が他の操作子よりも目立つように選択的に表示するようにしてもよい。例えば、前記表示手段は、前記一部の操作子に、前記一部の操作子の各々に関連する関連情報を重ねて表示する。また、前記表示手段は、他の操作子が前記一部の操作子よりも目立たないように選択的に表示する。例えば  前記表示手段は、前記他の操作子を隠す。
【０１２０】
＜変形例＞
なお、上記実施の形態で説明した情報処理装置及びプログラムの構成は一例であり、本発明の主旨を逸脱しない範囲内においてその構成を変更してもよいことは言うまでもない
【０１２１】
例えば、上記では、画像形成装置１０における表示処理について説明したが、この表示処理は、画像形成装置１０以外の装置でも同様に行うことができる。例えば、タブレット端末等、タッチ操作を受け付けるディスプレイ（表示手段）を備えた情報処理装置でも上記の表示処理を実行することができる。
【符号の説明】
【０１２２】
２Ａ   設定ボタン
２Ｂ   リセットボタン
９Ａ   設定ボタン
９Ｂ   変更ボタン
９Ｅ   ワンタッチバッジ
９Ｆ   共有バッジ
９Ｇ   回数バッジ
９Ｈ   設定内容の表示
１０   画像形成装置
１１   ログインボタン
１２   ユーザ名
１４   指
２１   選択用ボタン
３１   名前ボックス
３４   ワンタッチ選択ボタン
３５   種別表示部
３６   説明ボックス
３７   プレビュー表示部
３８   作成ボタン
１００ 制御部
１０１ バス
１０５ 記憶部
１０７ 表示部
１０８ 画像読取部
１０９ 画像形成部
１１０ 通信部
１１１ 画像処理部
１１２ 動作認識部
１１３ カメラ
１１４ 音声認識部
１１５ マイク
【図１】
2019016067.tif 000003
【図２】
2019016067.tif 000004
【図３】
2019016067.tif 000005
【図４】
2019016067.tif 000006
【図５】
2019016067.tif 000007
【図６】
2019016067.tif 000008
【図７】
2019016067.tif 000009
【図８】
2019016067.tif 000010
【図９】
2019016067.tif 000011
【図１０】
2019016067.tif 000012
【図１１】
2019016067.tif 000013
【図１２】
2019016067.tif 000014
【図１３】
2019016067.tif 000015
【図１４】
2019016067.tif 000016
【図１５】
2019016067.tif 000017
【図１６】
2019016067.tif 000018
【図１７】
2019016067.tif 000019